(57)【要約】      （修正有）【課題】デザインが損なわれる事無く携帯端末が取り出しやすい携帯端末ケースを提供する。【解決手段】携帯端末ケース１の裏側３の底部６中央に、携帯端末を指で押し上げるための小穴４が設けられているため、携帯端末ケースの裏側から手で握りしめて保持すれば、中指が先の小穴に自然と入る形となり、底部から携帯端末を押し上げる事が出来るため、携帯電話に限らず、スマートフォン、携帯情報端末や携帯音楽プレイヤー等の画面を圧迫せず、又汚さず携帯端末の両サイズを指で挟みつまんで容易に取り出す事が出来る優れた携帯端末ケースとなる。【選択図】図２
0003173262.tif 000002
【実用新案登録請求の範囲】
【請求項１】
携帯端末ケース（１）の裏側（３）の底部（６）中央に、携帯端末（８）を指で押し上げるための小穴（４）が設けられている事を特徴とする携帯端末ケース（１）。
【請求項２】
携帯端末（８）が、携帯電話、スマートフォン、携帯情報端末又は携帯音楽プレイヤーである事を特徴とする請求項１に記載の携帯端末ケース（１）。
【考案の詳細な説明】
【技術分野】
【０００１】  本考案は携帯端末ケースに関し、デザインが損なわれる事無く携帯端末が取り出しやすい携帯端末ケースに関する。
【背景技術】
【０００２】  従来、携帯電話やスマートフォン等の携帯端末ケースは、上部に出し入れのための開口部を有し、留め具ベルト等で脱落しないように形成されている。【０００３】  一方で腰ベルトに装着する横型の携帯端末ケースのうち、該携帯端末ケースの底部の表側、裏側及びマチ部を大きく開口させて、留め具を外した後に表側を手のひらで包み込む形で該開口部に指を沿わせて指で携帯端末を持ち上げて取り出す商品が提案されている。
【考案の概要】
【考案が解決しようとする課題】
【０００４】  しかしながら上記の腰ベルト装着横型の携帯端末ケースは、腰ベルトに装着するタイプのものであり、汎用性の有る一般のバッグやベルト通しに取りつけたり更にはストラップで首から下げる縦型のものには用いる事が出来なかった。【０００５】  更に、開口部が底部の表側、裏側及びマチ部を大きく開口して設けられているため、開口部から露出する携帯端末を傷める場合もあるので、通常の携帯端末ケースとして形成するには難しい点が有った。【０００６】  又、開口部からホコリ等が入りやすいため、携帯端末を傷つける欠点があった。
【課題を解決するための手段】
【０００７】  上記課題を解決するために本考案は  携帯端末ケース（１）の裏側（３）の底部（６）中央に、携帯端末（８）を指で押し上げるための小穴（４）が設けられている。【０００８】  なお、本考案で言う携帯端末は、携帯電話、スマートフォン、携帯情報端末又は携帯音楽プレイヤーの事を言う。
【考案の効果】
【０００９】  本考案の携帯端末ケースは以上のような構成であるために、例えば携帯端末ケースの裏側から左手で握りしめて保持すれば中指が裏側の底部中央に設けられた携帯端末底部を指で押し上げるための小穴に自然と入る形となり、底部から携帯端末自体を中指で押し上げて取り出しの開口部から携帯端末の上部がせり出すので、例えばスマートフォンであれば、画面を圧迫したり、汚さずに両サイドをつまみ上げる形でスムーズに取り出す事が出来る優れたものになる。【００１０】  従来の腰ベルトに装着する横型の携帯端末ケースのように、底部の表側、裏側及びマチ部を大きく開口させておらず、裏側の底部中央に目立たないような小穴として設けられた開口部のため、表側から見た場合も汎用性のある一般的な縦型収納タイプの携帯端末ケースとしてデザイン出来る優れものとなる。【００１１】  もちろん裏側の底部中央に小穴として開口しているだけなので、小穴である開口部から携帯端末が大きく露出することもないため傷める事がほとんど無いものとなる。【００１２】  更に、開口部が小穴と小さいため、ホコリ等も入りにくいので携帯端末を傷つけることのない優れたものである。
【図面の簡単な説明】
【００１３】
【図１】  本考案の一実施例を示す表側からの斜視図である。
【図２】  本考案の一実施例を示す裏側からの斜視図である。
【図３】  本考案の使用時の一実施例を示す斜視図である。
【図４】  本考案の使用時の一実施例において携帯端末が押し上げられる様子を示す斜視図である。
【考案を実施するための形態】
【００１４】  本考案における携帯端末ケースの大きさ、形状、デザイン、材質、製造方法等は特に限定されないが、特に材質としては本皮、合皮等が用いられる。
【００１５】  大きさも使用する携帯端末の種類、例えば携帯電話、スマートフォン等の大きさによって自由に決める事が出来る。
【００１６】  携帯端末を指で押し上げるための小穴の大きさや形も特に限定される事はないが、小穴自体の底部が大きくて、携帯端末の出し入れの開口部に向かって狭くなる三角形の形が好ましい。これは押し上げる指を小穴に誘う際に底部が大きい程、指を沿わせやすいためであり、特に三角形だと押し上げると狭くなるため指がブレずに確実に携帯端末を押し上げれるためである。
【００１７】  なお、本考案の携帯端末ケースの内側に例えばメガネの汚れ拭きのような生地を内張りとして設けておけば、小穴が該生地で塞がれるため、ホコリ等が小穴から一切入らないものとする事が出来る。例えばこの時外側のケース本体を形成する皮であれば該皮と内張りの生地を同一色とすれば小穴自体も目立たないものとなる。
以下、実施例と図に基づき説明する。
【実施例】
【００１８】  以下、本考案の一実施例を図１、図２、図３及び図４で説明するがこれによって本考案は何ら限定されるものではない。【００１９】  図１は、本考案の表側（２）から見た一例の斜視図である。上部に携帯端末（８）を出し入れする開口部（５）が設けられており、開口部（５）を留めるための留め具ベルト（７）が設けられている。【００２０】  図２は、本考案の図１のものを裏側（３）から見た一例の斜視図である。携帯端末ケース（１）の裏側（３）の底部（６）中央に携帯端末（８）を指で押し上げるための小穴（４）が設けられている。その際、該小穴（４）は底部が大きく携帯端末の出し入れの開口部（５）に向かって狭くなる三角形の形として形成されていることを示している。【００２１】  図３は、本考案の携帯端末ケース（１）に収納されている携帯端末（８）を左手（９）の親指（１１）と小指（１２）で握りしめて保持し、その際に小穴（４）に有る携帯端末（８）の底部から自然と中指（１０）が挿入して容易に押し上げる様子を裏側（３）から示している。【００２２】  図４は、図３の携帯端末ケース（１）に収納されている携帯端末（８）が中指で押し上げられて携帯端末の出し入れ用の開口部（５）から出て来る様子を表側（２）から示しており、左手（９）の親指（１１）と小指（１２）が携帯端末ケース（１）を握りしめて保持している様子がわかる。
【産業上の利用の可能性】
【００２３】  本考案の携帯端末ケースは、裏側の底部中央に携帯端末を押し出し上げるための小穴が設けられているため、携帯端末ケースの裏側から手で握りしめて保持すれば、中指が先の小穴に自然と入る形となって底部から携帯端末を押し上げる事が出来るため、携帯端末に限らずスマートフォンや携帯音楽プレイヤー等の画面を圧迫したり、汚さずに携帯端末の両サイド指で挟んでつまみ上げて容易に取り出す事が出来る優れた携帯端末ケースとなる。
【００２４】  又、従来の腰ベルトに装着する横型の携帯端末ケースのように、底部の表側、裏側およびマチ部を大きく開口させておらず、あくまでも裏側の底部中央に小穴として設けられた開口部なので、表側から見ても小穴の存在が分からず、汎用性のある一般的な縦型タイプの携帯端末ケースとしてデザインが出来るものとなる。
【００２５】  この小穴は裏側に小さく設けられているだけなので、この小穴から携帯端末が大きく露出して携帯端末を傷つけたりすることもないものとなる。
【００２６】  更に、小穴の開口部が小さいため、ホコリ等も入りにくいので携帯端末を傷つけることのない優れた携帯端末ケースである。
【符号の説明】  １  携帯端末ケース    ２  表側    ３  裏側    ４  小穴    ５  開口部
６  底部    ７  留め具ベルト    ８  携帯端末    ９  左手    １０  中指
１１  親指    １２  小指
【図１】
0003173262.tif 000003
【図２】
0003173262.tif 000004
【図３】
0003173262.tif 000005
【図４】
0003173262.tif 000006